(57)【要約】【課題】カウルトップパネルとデッキガーニッシュとの固定部の省スペース化を図ることができると共に、コストの削減を図ることができる車両のフロントデッキ部構造を提供する。【解決手段】カウルトップパネル１０とデッキガーニッシュ２０の前端部とを固定する固定部３０が、デッキガーニッシュフランジ部２２の先端部から下方に突出してカウルトップフランジ部１６に係止される係止部２３と、デッキガーニッシュフランジ部２２の下面からカウルトップ壁面部１５に沿って延在し先端部に係止爪２６を備える係合突起部２５と、カウルトップ壁面部１５に設けられて係止爪２６が係合する係合孔１７と、を備える構成とする。【選択図】図２
2015168330.tif 000002
【特許請求の範囲】
【請求項１】
ウィンドシールドガラスとフロントフードとの間で車幅方向に沿って延設されるカウルトップパネルと、当該カウルトップパネルの上部に取り付けられるデッキガーニッシュとを備える車両のフロントデッキ部構造であって、
前記カウルトップパネルは、車両前方側に、上下方向に立設されるカウルトップ壁面部と、該カウルトップ壁面部の上端部から車両前方側に延設されるカウルトップフランジ部と、を備える一方、
前記デッキガーニッシュは、車両方向前方側に、上下方向に立設されるデッキガーニッシュ壁面部と、該デッキガーニッシュ壁面部の下端部から車両前方側に延設されて前記カウルトップフランジ部に当接するデッキガーニッシュフランジ部と、を備え、
前記カウルトップパネルと前記デッキガーニッシュとは、前記カウルトップフランジ部と前記デッキガーニッシュフランジ部とが当接した状態で、車幅方向に所定間隔で配された複数の固定部で固定され、
前記固定部は、
前記デッキガーニッシュフランジ部の先端部から下方に突出して前記カウルトップフランジ部に係止される係止部と、
前記デッキガーニッシュフランジ部の下面から前記カウルトップ壁面部に沿って延在し先端部に係止爪を備える係合突起部と、
前記カウルトップ壁面部に設けられて前記係止爪が係合する係合孔と、
を備えている
ことを特徴とする車両のフロントデッキ部構造。
【請求項２】
請求項１に記載の車両のフロントデッキ部構造において、
前記デッキガーニッシュ壁面部は、前記デッキガーニッシュフランジ部に対して鋭角となるように傾斜して設けられている
ことを特徴とする車両のフロントデッキ部構造。
【請求項３】
請求項１又は２に記載の車両のフロントデッキ部構造において、
前記デッキガーニッシュは、前記デッキガーニッシュ壁面部から前記デッキガーニッシュフランジ部の下方まで延設される水切りリブを有し、該水切りリブが、前記係合孔の下方側まで延設されている
ことを特徴とする車両のフロントデッキ部構造。
【発明の詳細な説明】
【技術分野】
【０００１】
本発明は、ウィンドシールドガラス（フロントガラス）とフロントフードとの間のフロントデッキ部構造に関し、特に、フロントデッキ部を構成するカウルトップパネルとデッキガーニッシュの前端部との取付部の構造に関する。
【背景技術】
【０００２】
従来、自動車等の車両のフロントデッキ部を構成するカウルトップパネルとデッキガーニッシュの前端部とは、各種の取付具によって固定されているのが一般的であった。例えば、車体を構成する車体パネル（カウルトップパネル）の支持板部に取付部（孔）を設けると共にカウルトップカバー（デッキガーニッシュ）の車体取付板部に取付受部（孔）を設け、これらの孔にリベットやクリップ等を装着して両者を固定するようにしたものがある（例えば、特許文献１参照）。
【０００３】
また部品コストの低減を図るという観点から、カウルルーバ（デッキガーニッシュ）の前端部に係止部（爪部）を一体的に形成する一方、カウルパネル（カウルトップパネル）を構成するロアパネルの前フランジ（カウルトップフランジ部）に取付け孔を設け、係止部をこの取付け孔に装着することでカウルルーバの前端部とカウルパネルとを固定するようにしたものがある（例えば、特許文献２参照）。
【先行技術文献】
【特許文献】
【０００４】
【特許文献１】特開２０１２−１１９１５号公報
【特許文献２】特開２０１１−１５２８８２号公報
【発明の概要】
【発明が解決しようとする課題】
【０００５】
ところで、近年、居住性の向上のために車室空間を広くとる車両が増えている。車室空間を拡大すると、その分フロントデッキ部の位置が車両前方側となるため、例えば、エンジンルーム等の車室前方の空間が影響を受ける。一方で、車室前方の空間には、エンジンやトランスミッション等さまざまな機器が搭載されるため、機器のレイアウトやメンテナンス性を考えると出来るだけスペースを確保したいという思いがある。車室空間の拡大と車室前方の空間の確保を両立するため試行錯誤がされており、その対策の一つとしてフロントデッキ部を小型化することが望まれている。
【０００６】
しかしながら、上述のような従来のフロントデッキ部構造では、リベットやクリップ等を装着する取付孔や、爪部等、を形成するためのスペースを確保するために、カウルトップやデッキガーニッシのフランジ部が大きくなってしまい、十分に小型化することができなかった。すなわち、カウルトップとデッキガーニッシュを固定するためのフランジ部がフロントデッキ部の小型化を阻害する要因の一つとなっており、改善の余地があった。
【０００７】
本発明は、このような事情に鑑みてなされたものであり、カウルトップパネルとデッキガーニッシュとの固定部の省スペース化を図ることができると共に、コストの削減を図ることができる車両のフロントデッキ部構造を提供することを目的とする。
【課題を解決するための手段】
【０００８】
上記課題を解決する本発明の第１の態様は、ウィンドシールドガラスとフロントフードとの間で車幅方向に沿って延設されるカウルトップパネル当該カウルトップパネルの上部に取り付けられるデッキガーニッシュとを備える車両のフロントデッキ部構造であって、前記カウルトップパネルは、車両前方側に、上下方向に立設されるカウルトップ壁面部と、該カウルトップ壁面部の上端部から車両前方側に延設されるカウルトップフランジ部と、を備える一方、前記デッキガーニッシュは、車両方向前方側に、上下方向に立設されるデッキガーニッシュ壁面部と、該デッキガーニッシュ壁面部の下端部から車両前方側に延設されて前記カウルトップフランジ部に当接するデッキガーニッシュフランジ部と、を備え、前記カウルトップパネルと前記デッキガーニッシュとは、前記カウルトップフランジ部と前記デッキガーニッシュフランジ部とが当接した状態で、車幅方向に所定間隔で配された複数の固定部で固定され、前記固定部は、前記デッキガーニッシュフランジ部の先端部から下方に突出して前記カウルトップフランジ部に係止される係止部と、前記デッキガーニッシュフランジ部の下面から前記カウルトップ壁面部に沿って延在し先端部に係止爪を備える係合突起部と、前記カウルトップ壁面部に設けられて前記係止爪が係合する係合孔と、を備えていることを特徴とする車両のフロントデッキ部構造にある。
【０００９】
本発明の第２の態様は、第１の態様の車両のフロントデッキ部構造において、前記デッキガーニッシュ壁面部は、前記デッキガーニッシュフランジ部に対して鋭角となるように傾斜して設けられていることを特徴とする車両のフロントデッキ部構造にある。
【００１０】
本発明の第３の態様は、第１又は２の態様の車両のフロントデッキ部構造において、前記デッキガーニッシュは、前記デッキガーニッシュ壁面部から前記デッキガーニッシュフランジ部の下方まで延設される水切りリブを有し、該水切りリブが、前記係合孔の下方側まで延設されていることを特徴とする車両のフロントデッキ部構造にある。
【発明の効果】
【００１１】
かかる本発明では、フロントデッキ部の省スペース化を図ることができる。具体的には、カウルトップ及びデッキガーニッシュのフランジ部の幅（車両の前後方向の幅）を狭くすることができる。また、クリップ等の部品が不要となると共に、カウルトップパネルに対するデッキガーニッシュの取付が容易となり作業効率が向上するため、製造コストを削減することができる。
【図面の簡単な説明】
【００１２】
【図１】本発明の一実施形態に係る車両のフロントデッキ部の概略構成を示す図である。
【図２】本発明の一実施形態に係る車両のフロントデッキ部を示す断面図である。
【図３】本発明の一実施形態に係るカウルトップパネルとデッキガーニッシュとの取付部を示す斜視図である。
【図４】本発明の一実施形態に係るカウルトップパネルとデッキガーニッシュとの取付部を示す断面図である。
【発明を実施するための形態】
【００１３】
以下、本発明に係る車両のフロントデッキ部構造について詳細に説明する。
【００１４】
図１は、車両（自動車）のフロントデッキ部の概略構成を示す図であり、図２はフロントデッキ部を構成するカウルトップパネル及びデッキガーニッシュの断面図である。
【００１５】
図１に示すように、車両のウィンドシールドガラス（フロントガラス）１とフロントフード２との間には、車幅方向に亘ってフロントデッキ部３が設けられている。フロントデッキ部３は、車幅方向に沿って延設されて車体の一部を構成するカウルトップパネル１０と、このカウルトップパネル１０の上部に取り付けられる合成樹脂製のデッキガーニッシュ２０とで構成されている。なお、フロントデッキ部３の前端（車両前方側端部）には、デッキガーニッシュ２０をカウルトップパネル１０に固定するための複数の固定部３０が車幅方向に所定の間隔で設けられている。
【００１６】
図２に示すように、カウルトップパネル１０は、本実施形態では、フロントフード２側（車両前方側）に配されるカウルトップフロント１１と、その後方に配置されるカウルトップインナ１２と、カウルトップインナ１２の上部に配されるカウルトップアッパ１３と、で中空状に構成されている。カウルトップフロント１１とカウルトップアッパ１３との間には所定の隙間が確保されており、カウルトップパネル１０は、車幅方向に亘って上方側が開口された開断面を形成している。また、カウルトップアッパ１３は、ウィンドシールドガラス１下端部の下方に配置されており、ウィンドシールドガラス１を支持している。なお、このカウルトップパネル１０で形成される空間１４には、図示は省略するが、例えば、ワイパーユニット等が配置されている。
【００１７】
デッキガーニッシュ２０は、カウルトップパネル１０で形成される空間１４を塞ぐように、すなわちカウルトップフロント１１とカウルトップアッパ１３との隙間を塞いで、カウルトップパネル１０に固定されている。デッキガーニッシュ２０には、例えば、エアコンの吸気ダクトに外気を取り入れるための通気孔２０ａが設けられる（図２参照）。このデッキガーニッシュ２０は、その後端（車両後方側端部）がウィンドシールドガラス１の下端部に取り付けけられている。そして、デッキガーニッシュ２０の前端（車両前方側端部）は、車幅方向に所定間隔で配される複数の固定部３０でカウルトップパネル１０（カウルトップフロント１１）に固定されている（図１参照）。
【００１８】
以下、本実施形態のデッキガーニッシュ２０とカウルトップパネル１０の主要部と、これらを固定する固定部３０の構造について詳しく説明する。
【００１９】
図３及び図４に示すように、カウルトップパネル１０を構成するカウルトップフロント１１は、上下方向に立設されるカウルトップ壁面部１５と、カウルトップ壁面部１５の上端部から車両前方側に延設されるカウルトップフランジ部１６（カウルトップパネル１０の前端部）と、を備えている。カウルトップ壁面部１５は、本実施形態では車両前方から後方に向かって下り傾斜となるように所定角度で傾斜して設けられている。そして、各固定部３０において、このカウルトップ壁面部１５には、後述するデッキガーニッシュ２０の係止爪２６が係合する係合孔１７が設けられている。つまり、係合孔１７は、カウルトップ壁面部１５に車幅方向に所定の間隔で複数設けられている。カウルトップフランジ部１６は、本実施形態では、カウルトップ壁面部１５の上端部から車両前方側に向かって略水平方向に延設されている。
【００２０】
一方、デッキガーニッシュ２０は、上下方向に立設されるデッキガーニッシュ壁面部２１と、デッキガーニッシュ壁面部２１の下端部から車両前方側に延設されてカウルトップフランジ部１６に当接する複数のデッキガーニッシュフランジ部２２（デッキガーニッシュ２０の前端部）と、を備える。デッキガーニッシュ壁面部２１は、デッキガーニッシュフランジ部２２に対する角度θが鋭角となるように傾斜して設けられている。本実施形態では、デッキガーニッシュ壁面部２１は、カウルトップ壁面部１５に平行して設けられている。
【００２１】
デッキガーニッシュフランジ部２２は、カウルトップフランジ部１６と同様に、デッキガーニッシュ壁面部２１から車両前方側に向かって略水平方向に延設されている。このデッキガーニッシュフランジ部２２の先端部には、デッキガーニッシュフランジ部２２の下方側に突出してカウルトップフランジ部１６の先端部に係止される係止部２３が設けられている。すなわち、この係止部２３がカウルトップフランジ部１６に係止されることで、デッキガーニッシュ２０の車両後方側への移動が規制される。
【００２２】
なお、この係止部２３の内側には、車幅方向に所定間隔で複数のリブ２４が設けられている。実際には、カウルトップフランジ部１６の先端部は、これら複数のリブ２４に当接する。これらのリブ２４は、例えば、カウルトップフランジ部１６とデッキガーニッシュフランジ部２２との寸法誤差が生じた際に、最終調整（チューニング）のために設けられている。上記のような寸法誤差が生じた場合、デッキガーニッシュ２０を成形するための金型を加工して係止部２３の大きさを調整する必要がある。その際、リブ２４を設けておけば、金型のリブ２４に対応する部分のみを加工すればよく、調整作業を比較的容易に行うことができる。勿論、これらのリブ２４は、必須の構成ではなく、必要に応じて設けられていればよい。
【００２３】
そして、各固定部３０において、デッキガーニッシュフランジ部２２には、その下面からカウルトップ壁面部１５の表面に沿って下方に延びる係合突起部２５が突設されている。係合突起部２５の先端部には、カウルトップ壁面部１５側に突出して係合孔１７に係合される係止爪２６が設けられている。つまり、係合突起部２５と係止爪２６とが、カウルトップ壁面部１５の複数の係合孔１７に対応して複数設けられている。また、係合突起部２５は、係止部２３がカウルトップフランジ部１６の先端部に係止された状態で、カウルトップ壁面部１５の表面に実質的に接触して、係止部２３との間にカウルトップフランジ部１６を挟持するよう構成されている。
【００２４】
このような構成のデッキガーニッシュ２０の前端部をカウルトップパネル１０に取り付ける際には、デッキガーニッシュフランジ部２２の係止部２３をカウルトップフランジ部１６の先端部に係止させつつ、デッキガーニッシュフランジ部２２をカウルトップフランジ部１６に当接させる。このとき、各固定部３０では、係止爪２６を含む係合突起部２５は、後方に撓んだ状態でカウルトップ壁面部１５の表面を摺動し、各係止爪２６がカウルトップ壁面部１５に形成されている係合孔１７に係合する。
【００２５】
これにより、デッキガーニッシュ２０の前端部とカウルトップパネル１０とを良好に固定することができる。また各固定部３０を上述のような構造とすることで、フロントデッキ部３の省スペース化を図ることができる。具体的には、カウルトップフランジ部１６の幅（車両の前後方向の幅）Ｗ１を狭くすることができる。またそれに応じてデッキガーニッシュフランジ部２２の幅を狭くすることができる。
【００２６】
例えば、カウルトップ前端とデッキガーニッシュ前端とをクリップ等で固定する従来の構造では、カウルトップフランジ部及びデッキガーニッシュフランジ部２２にクリップを装着するための装着孔を形成する必要がある。このため、カウルトップフランジ部及びデッキガーニッシュフランジ部の幅は比較的広く確保する必要がある。さらに、カウルトップフランジ部及びデッキガーニッシュフランジ部の幅は、クリップを艤装するためのスペースを確保する点からも、比較的広く確保する必要がある。特に、上述の実施形態のように、デッキガーニッシュフランジ部２２に対するデッキガーニッシュ壁面部２１の角度が鋭角に傾斜して設けられている場合には、クリップ等の挿入軌跡とデッキガーニッシュ壁面部２１が干渉しない十分な隙間を確保するために、カウルトップフランジ部等の車両前後方向の幅をより広くする必要がある。このため、カウルトップフランジ部を小さくすることが難しく、フロントデッキ部３が大型化してしまっていた。
【００２７】
本願発明の構成では、このような問題を解消してフロントデッキ部３の省スペース化を図ることができる。なお各固定部３０では、デッキガーニッシュフランジ部２２の係合突起部２５に対応する位置に貫通孔２７が形成されている。この貫通孔２７は、デッキガーニッシュ成形時に、係止爪２６を含む係合突起部２５を形成するための金型（ピン）によって形成されるものである。その大きさは、クリップ等を装着するための装着孔に必要となる座面幅に比べて大幅に小さい。なお、この貫通孔２７は必須の構成ではなく、必要に応じて設けられていればよい。
【００２８】
また本実施形態の構成では、クリップ等の部品が不要となると共に、カウルトップパネル１０に対するデッキガーニッシュ２０の取付が容易となり作業効率が向上するため、製造コストの削減を図ることもできる。
【００２９】
さらに、上述のようなデッキガーニッシュ２０の先端部とカウルトップパネル１０との取付構造は、例えば、自動車に歩行者等が衝突した際にその衝撃力を吸収する衝撃吸収部としての効果を向上させることも期待できる。すなわち、歩行者等が衝突した際にデッキガーニッシュ２０に大きな衝撃が加わると、それによりデッキガーニッシュフランジ部２２の係止部２３がカウルトップパネル１０から外れて、カウルトップ壁面部１５後方へ落ち込むことでより大きく変形する。この変形により衝撃が吸収され、歩行者の受ける衝撃力を軽減することも期待できる。
【００３０】
また本実施形態では、デッキガーニッシュ２０には、デッキガーニッシュ壁面部２１からデッキガーニッシュフランジ部２２の下方まで水切りリブ２８が延設されている（図４参照）。この水切りリブ２８は、係合孔１７の下方側、具体的には、係合孔１７の下端の延長線Ｌ１よりも下方側まで延設されていることが好ましい。このような水切りリブ２８を設けることで、カウルトップ壁面部１５を伝って流れる雨水が、カウルトップフランジ部１６とデッキガーニッシュフランジ部２２との当接面等からエンジンルーム内に侵入するのを抑制することができる。さらに、水切りリブ２８が、係合孔１７の下方側まで延設されていることで、エンジンルームの係合孔１７からの雨水の浸入も効果的に抑制することができる。
【００３１】
以上、本発明の一実施形態について説明したが、勿論、本発明は、上述の実施形態に限定されるものではなく、その趣旨を逸脱しない範囲で適宜変更が可能なものである。
【符号の説明】
【００３２】
１  ウィンドシールドガラス
２  フロントフード
３  フロントデッキ部
１０  カウルトップパネル
１１  カウルトップフロント
１２  カウルトップインナ
１３  カウルトップアッパ
１４  空間
１５  カウルトップ壁面部
１６  カウルトップフランジ部
１７  係合孔
２０  デッキガーニッシュ
２１  デッキガーニッシュ壁面部
２２  デッキガーニッシュフランジ部
２３  係止部
２４  リブ
２５  係合突起部
２６  係止爪
２７  貫通孔
２８  水切りリブ
３０  固定部
【図１】
2015168330.tif 000003
【図２】
2015168330.tif 000004
【図３】
2015168330.tif 000005
【図４】
2015168330.tif 000006